(57)【特許請求の範囲】
【請求項１】
リング状のカム部を備える船舶用エンジンのクランクシャフトが貫通するように備えられ、前記カム部の両側部と当接して内側にオイルが収容される一対のオイルチャンバー及び前記一対のオイルチャンバーの上端にそれぞれ形成される少なくとも一つの連通孔を含む胴体部と、
前記胴体部の上部に結合され、前記連通孔と対応するキャップ連通孔を備える下部フレームと、
前記下部フレームの上端に結合され、前記下部フレームとともにオイル連通流路を形成し、対向する両側部の下端には、所定の角度を有する一対の第１傾斜面が備えられる上部カバーと、
前記一対の第１傾斜面に対応する第２傾斜面が形成された一対の高さ調整ロッドを備えて、スライド移動により前記上部カバーの結合高さを調節する高さ調節部材と、を含むことを特徴とする縦振動減衰ダンパー。
【請求項２】
前記キャップ連通孔は前記連通孔と所定の角度をなして連結される請求項１に記載の縦振動減衰ダンパー。
【請求項３】
前記下部フレームは、内側に貫通形成された装着部が形成されたソケット部と、前記キャップ連通孔を備え、前記装着部に装着されたコア部と、を含む請求項１又は請求項２に記載の縦振動減衰ダンパー。
【請求項４】
前記装着部の断面積は上部に向かうほど広くなる、請求項３に記載の縦振動減衰ダンパー。
【請求項５】
前記キャップ連通孔の断面積は前記連通孔の断面積より小さい請求項１から請求項４のいずれか一項に記載の縦振動減衰ダンパー。
【請求項６】
前記キャップ連通孔の断面積は前記連通孔の断面積の２分の１である請求項１から請求項５のいずれか一項に記載の縦振動減衰ダンパー。
【請求項７】
リング状のカム部を備える船舶用エンジンのクランクシャフトが貫通するように備えられ、前記カム部の両側部と当接して内側にオイルが収容される一対のオイルチャンバー及び前記一対のオイルチャンバーの上端にそれぞれ形成される少なくとも一つの連通孔を含む胴体部と、
前記胴体部の上部に結合され、前記連通孔と対応するキャップ連通孔を備える下部フレームと、
前記下部フレームの上端に昇降可能に結合され、前記下部フレームとともにオイル連通流路を形成する上部カバーと、を含み、
前記下部フレームの上端には陥入して形成された段差部が備えられる縦振動減衰ダンパー。
【請求項８】
前記段差部は前記キャップ連通孔の上端の少なくとも一部を含んで形成された、請求項７に記載の縦振動減衰ダンパー。
【請求項９】
前記段差部は前記キャップ連通孔の上端の全体を含んで形成された請求項７又は請求項８に記載の縦振動減衰ダンパー。
【請求項１０】
前記段差部は対向する一対の前記キャップ連通孔を連結するように複数に分割されて形成された請求項７から請求項９のいずれか一項に記載の縦振動減衰ダンパー。
【請求項１１】
前記上部カバーの対向する両側部の下端には、下方に突出形成された少なくとも一対の高さ調節用突起が備えられ、
前記縦振動減衰ダンパーは、前記一対の高さ調節用突起に当接してスライド移動により前記上部カバーの結合高さを調節することができるように少なくとも一つの段差が形成された階段部が形成された高さ調節ロッドを備える高さ調節部材をさらに含む、請求項１から請求項１０のいずれか一項に記載の縦振動減衰ダンパー。
【請求項１２】
前記高さ調節用突起は前記上部カバーの側面の外側に突出形成された、請求項１１に記載の縦振動減衰ダンパー。
【請求項１３】
前記高さ調節用突起は複数対形成され、
前記高さ調節ロードには複数対の前記高さ調節用突起に対応するように複数の階段部が形成された、請求項１１又は請求項１２に記載の縦振動減衰ダンパー。
【請求項１４】
前記下部フレームの外側面と前記上部カバーの内側面との間に位置し、オイルの流出を防止するオイルシールをさらに含む、請求項１から請求項１３のいずれか一項に記載の縦振動減衰ダンパー。
【請求項１５】
熱機関の燃焼によって回転運動し、リング状のカム部を備えるクランクシャフトと、
請求項１から請求項１４のいずれか一項の縦振動減衰ダンパーと、を含む船舶用エンジン。
【発明の詳細な説明】
【技術分野】
【０００１】
本発明は縦振動減衰ダンパー及びそれを含む船舶用エンジンに関し、より詳細には、減衰性能が向上した縦振動減衰ダンパー及びそれを含む船舶用エンジンに関する。
【背景技術】
【０００２】
最近では、原油価格の上昇によって、燃費向上のために低速高出力の主機関（大型ディーゼルエンジン）が適用され、同様の理由から、プロペラの直径も増加しており、船舶推進軸系で発生する推力変動力が増加している。これにより、振動水準も増加し、特に、縦振動は船体にそのまま伝達されるため、これを低減させる必要がある。
【０００３】
該縦振動を減衰させるために、図１及び図２に示されたように、ダンパー１がエンジンと結合されるクランクシャフト２の先端に結合される。上記クランクシャフト２の端部の中間には、ドーナツ状のカム３が挿入されて上記クランクシャフト２と同時に動く。
【０００４】
一方、上記カム３の両側にはオイルチャンバー４が形成され、各オイルチャンバー４は上記ダンパー１の上部と連通されるように形成されて、オイルがそれぞれのオイルチャンバー４に流動できるように形成される。
【０００５】
上記オイルが流れる経路には、オイルが流れる流量を調節することができる複数の薄板５が積層されて結合され、上記薄板５にも上記オイルチャンバー４の位置と対応する貫通孔が両側部に対称に形成される。ここで、上記薄板５のうち最上層に積層された薄板５には、上記各オイルチャンバー４が連通して内側のオイルが上記カム３の圧力によって流動できるように一つの貫通孔が中心部に形成される。
【０００６】
従って、エンジン及びプロペラの駆動によって上記シャフト２が前後に移動し、このとき、カム３もクランクシャフト２とともに移動する。ここで、カム３が移動しながらオイルを加圧し、加圧されたオイルは反対側のオイルチャンバー４に流入される。このように、オイルチャンバー４内にオイルが留まる時間を異ならせて推力変動力を減衰させる。それにより居住区への縦振動の伝達を防止することができる。
【０００７】
一方、このような縦振動減衰ダンパーにおいて、減衰性能をどのように向上させるのかがカギである。
【発明の概要】
【発明が解決しようとする課題】
【０００８】
本発明は、オイル移動経路の断面積と間隙（ｇａｐ）の大きさの調節が容易な縦振動減衰ダンパー及びそれを含む船舶用エンジンを提供する。
【０００９】
また、本発明は、縦振動減衰ダンパーの外郭寸法を変えずに、オイル移動経路を最大限に確保して、減衰性能が向上した縦振動減衰ダンパー及びそれを含む船舶用エンジンを提供する。
【００１０】
また、本発明は、故障等が発生しても最小限のオイル移動経路を確保することができる縦振動減衰ダンパー及びそれを含む船舶用エンジンを提供する。
【００１１】
また、本発明は、ねじり減衰性能を向上させることで減衰性能が向上した縦振動減衰ダンパー及びそれを含む船舶用エンジンを提供する。
【課題を解決するための手段】
【００１２】
本発明の実施形態による縦振動減衰ダンパーは、リング状のカム部を備える船舶用エンジンのクランクシャフトが貫通するように備えられ、上記カム部の両側部と当接して内側にオイルが収容される一対のオイルチャンバー及び上記一対のオイルチャンバーの上端にそれぞれ形成される少なくとも一つの連通孔を含む胴体部と、上記胴体部の上部に結合され、上記連通孔と対応するキャップ連通孔を備える下部フレームと、上記下部フレームの上端に結合され、上記下部フレームとともにオイル連通流路を形成する上部カバーと、を含んでもよい。
【００１３】
上記キャップ連通孔は、上記連通孔と所定の角度をなして連結されてもよい。
【００１４】
上記下部フレームは、内側に貫通形成された装着部が形成されたソケット部と、上記キャップ連通孔を備え、上記装着部に装着されたコア部と、を含んでもよい。
【００１５】
上記装着部の断面積は、上部に向かうほど広くなってもよい。
【００１６】
上記キャップ連通孔の断面積は、上記連通孔の断面積より小さくてもよい。
【００１７】
上記キャップ連通孔の断面積は、上記連通孔の断面積の２分の１であってもよい。
【００１８】
上記縦振動減衰ダンパーは、上記下部フレームの外側面と上記上部カバーの内側面との間に位置し、オイルの流出を防止するオイルシールをさらに含んでもよい。
【００１９】
上記下部フレームの上端には、陥入して形成された段差部が備えられてもよい。
【００２０】
上記段差部は、上記キャップ連通孔の上端の少なくとも一部を含んで形成されてもよい。
【００２１】
上記段差部は、上記キャップ連通孔の上端の全体を含んで形成されてもよい。
【００２２】
上記段差部は、対向する一対の上記キャップ連通孔を連結するように複数に分割されて形成されてもよい。
【００２３】
上記縦振動減衰ダンパーは、上記下部フレームの外側面と上記上部カバーの内側面との間に位置し、オイルの流出を防止するオイルシールをさらに含んでもよい。
【００２４】
上記上部カバーの対向する両側部の下端には所定の角度を有する一対の第１傾斜面が備えられ、上記縦振動減衰ダンパーは上記一対の第１傾斜面に対応する第２傾斜面が形成された一対の高さ調整ロッドを備えて、スライド移動により上記上部カバーの結合高さを調節する高さ調節部材をさらに含んでもよい。
【００２５】
上記上部カバーの対向する両側部の下端には下方に突出形成された少なくとも一対の高さ調節用突起が備えられ、上記縦振動減衰ダンパーは上記一対の高さ調節用突起に当接してスライド移動により上記上部カバーの結合高さを調節することができるように少なくとも一つの段差が形成された階段部が形成された高さ調節ロッドを備える高さ調節部材をさらに含んでもよい。
【００２６】
上記高さ調節用突起は、上記上部カバーの側面の外側に突出形成されてもよい。
【００２７】
上記高さ調節用突起は複数対形成され、上記高さ調節ロードには複数対の上記高さ調節用突起に対応するように複数の階段部が形成されてもよい。
【００２８】
上記縦振動減衰ダンパーは、上記下部フレームの外側面と上記上部カバーの内側面との間に位置し、オイルの流出を防止するオイルシールをさらに含んでもよい。
【００２９】
本発明の他の実施形態による縦振動減衰ダンパーは、両側に周方向に形成された複数の櫛部を備えるリング状のカム部を含むクランクシャフトと、上記クランクシャフトが貫通するように備えられ、上記カム部の両側部と当接して内側にオイルが収容される一対のオイルチャンバー及び上記一対のオイルチャンバーの上端にそれぞれ形成される少なくとも一つの連通孔を含む胴体部と、上記胴体部の上部に結合され、上記連通孔と連結されるキャップ連通孔を備える下部フレームと、上記下部フレームの上端に結合され、上記下部フレームとともにオイル連通流路を形成する上部カバーと、を含んでもよい。
【００３０】
上記櫛部は、外側に突出した突起であってもよい。
【００３１】
上記櫛部は、内側に陥入して形成された溝であってもよい。
【００３２】
上記櫛部は、放射状に形成されてもよい。
【００３３】
上記櫛部は、螺旋状、スパイラル状、ヘリンボーン状の何れか一つであってもよい。
【００３４】
本発明のさらに他の実施形態による縦振動減衰ダンパーは、リング状のカム部を備える船舶用エンジンのクランクシャフトが貫通するように備えられ、上記カム部の両側部と当接して内側にオイルが収容される一対のオイルチャンバー及び上記一対のオイルチャンバーの上端にそれぞれ形成される少なくとも一つの連通孔を含む胴体部と、上記胴体部の上部に結合され、上記連通孔に対応したキャップ連通孔を備えた下部フレームと、上記下部フレームの上端に結合され、上記下部フレームとともにオイル連通流路を形成する上部カバーと、を含み、上記上部カバーは上記下部フレームに応じてクランクシャフトの半径方向の外側または内側に移動できるように備えられてもよい。
【００３５】
本発明のさらに他の実施形態による船舶用エンジンは、熱機関の燃焼によって回転運動し、リング状のカム部を備えるクランクシャフトと、本発明の実施形態による縦振動減衰ダンパーと、を含んでもよい。
【発明の効果】
【００３６】
本発明による縦振動減衰ダンパー及びそれを含む船舶用エンジンは、上部カバー制御部により上部カバーの高さ調節が可能であるため、オイル移動経路の断面積と間隙（ｇａｐ）の大きさを容易に調節することができる。
【００３７】
また、本発明による縦振動減衰ダンパー及びそれを含む船舶用エンジンは、高さ調節部材のスライド移動によって上部カバーの高さ調節が可能であるため、オイル移動経路の断面積と間隙（ｇａｐ）の大きさを容易に調節することができる。
【００３８】
本発明による縦振動減衰ダンパー及びそれを含む船舶用エンジンは、ねじり減衰性能を向上させることで、縦振動減衰ダンパーの減衰性能を向上させることができる。
【図面の簡単な説明】
【００３９】
【図１】従来の縦振動減衰ダンパーの正面図である。
【図２】従来の縦振動減衰ダンパーの一部断面図である。
【図３】本発明の実施形態による縦振動減衰ダンパーを含む船舶用エンジンの一部斜視図である。
【図４】本発明の一実施形態による図３のＡ−Ａ’による一部断面図である。
【図５】本発明の一実施形態による縦振動減衰ダンパーの分解斜視図である。
【図６】本発明の他の実施形態による図３のＡ−Ａ’による一部断面図である。
【図７】本発明の他の実施形態による縦振動減衰ダンパーの分解斜視図である。
【図８】本発明のさらに他の実施形態による縦振動減衰ダンパーの分解斜視図である。
【図９】本発明のさらに他の実施形態による縦振動減衰ダンパーの分解斜視図である。
【図１０】本発明のさらに他の実施形態による縦振動減衰ダンパーの一部斜視図である。
【図１１】本発明のさらに他の実施形態による縦振動減衰ダンパーの分解斜視図である。
【図１２】本発明のさらに他の実施形態による縦振動減衰ダンパーの側面図である。
【図１３】本発明のさらに他の実施形態による縦振動減衰ダンパーの一部斜視図である。
【図１４】本発明のさらに他の実施形態による縦振動減衰ダンパーの分解斜視図である。
【図１５】本発明のさらに他の実施形態による縦振動減衰ダンパーの側面図である。
【図１６】本発明のさらに他の実施形態による縦振動減衰ダンパーの一部斜視図である。
【図１７】本発明のさらに他の実施形態によるによる縦振動減衰ダンパーの分解斜視図である。
【図１８】本発明のさらに他の実施形態による縦振動減衰ダンパーの側面図である。
【図１９】本発明のさらに他の実施形態による縦振動減衰ダンパーの分解斜視図である。
【図２０】本発明のさらに他の実施形態によるクランクシャフトの斜視図である。
【図２１】（ａ）〜（ｄ）は、本発明のさらに他の実施形態によるクランクシャフトの正面図である。
【発明を実施するための形態】
【００４０】
以下では、図面を参照して本発明の具体的な実施形態を詳細に説明する。但し、本発明の思想は提示される実施形態に限定されず、本発明の思想を理解する当業者は同一思想の範囲内で他の構成要素の追加、変更、削除などを通じて退歩的な他の発明や本発明の思想の範囲内に含まれる他の実施形態を容易に提供することができ、これも本発明の思想の範囲内に含まれる。
【００４１】
また、実施形態の図面に示される同じ思想の範囲内で機能が同一の構成要素は、同じ参照符号を用いて説明する。
【００４２】
図３は本発明の一実施形態による縦振動減衰ダンパー１００を含む船舶用エンジン１０の一部斜視図であり、図４は図３のＡ−Ａ’による一部断面図であり、図５は本発明の一実施形態による縦振動減衰ダンパー１００の分解斜視図である。
【００４３】
図３及び図４を参照すると、本発明の一実施形態による船舶用エンジン１０は、クランクシャフト１１及び縦振動減衰ダンパー１００を含んでもよい。
【００４４】
上記クランクシャフト１１は、外周面上にリング状のカム部１１ａを備えてもよい。
【００４５】
また、上記縦振動減衰ダンパー１００は、上記クランクシャフト１１が貫通するように設けられてもよい。ここで、上記縦振動減衰ダンパー１００の内側には上記カム部１１ａが収容されることができる。
【００４６】
図４及び図５を参照すると、本発明の一実施形態による縦振動減衰ダンパー１００は、上記クランクシャフト１１が貫通するように備えられる胴体部１１０と、上記胴体部１１０の上部に結合される下部フレーム１２０と、上記下部フレーム１２０の上端に結合される上部カバー１３０と、上記下部フレーム１２０の外側面と上記上部カバー１３０の内側面との間に位置するオイルシール１４０と、を含んでもよい。
【００４７】
上記胴体部１１０は、上記カム部１１ａの両側部と当接して内側にオイルが収容される一対のオイルチャンバー１１１と、上記一対のオイルチャンバー１１１の上端にそれぞれ形成された少なくとも一つの連通孔１１２と、を含んでもよい。
【００４８】
上記連通孔１１２は、後述するキャップ連通孔１２２ａと連結されて、上記一対のオイルチャンバー１１１に充填されたオイルが移動できるようにする通路の役割をする。
【００４９】
上記下部フレーム１２０は、内側に貫通形成された装着部１２１ａが形成されたソケット部１２１と、上記装着部１２１ａに装着されて上記ソケット部１２１の内側に結合されるコア部１２２と、を含んでもよい。このとき、上記装着部１２１ａの断面積は、上部に向かうほど、広くなるように形成されてもよく、これにより、上記コア部１２２を上記装着部１２１ａに脱着させることが容易となる。
【００５０】
上記コア部１２２には、上記連通孔１１２に対応して上記連通孔１１２とともにオイル移動経路を形成するキャップ連通孔１２２ａが備えられてもよい。このとき、上記キャップ連通孔１２２ａは、上記連通孔１１２と所定の角度をなして連結されてもよい。即ち、対向する上記キャップ連通孔１２２ａは、上部に向かうほど、外側に離れるように形成されることができる。これにより、後述するオイル連通流路１３１がより長く形成され、十分な長さのオイル移動経路を確保することができ、縦振動減衰ダンパー１００の減衰性能を向上させることができる。
【００５１】
一方、上記キャップ連通孔１２２ａの直径は上記連通孔１１２の直径より小さくてもよく、上記連通孔１１２の直径の２分の１であってもよい。これにより、縦振動減衰ダンパー１００の減衰性能を向上させることができ、上記キャップ連通孔１２２ａの直径が上記連通孔１１２の直径の２分の１である場合は、減衰性能を４倍増加させることができる。
【００５２】
また、上記コア部１２２は着脱できるため、様々な形態の上記キャップ連通孔１２２ａが形成された複数種の上記コア部１２２を上記ソケット部１２１に結合させて、減衰性能を調節することができる。
【００５３】
上記上部カバー１３０は上記下部フレーム１２０の上部に結合されて、上記下部フレーム１２０の上面との間で上記キャップ連通孔１２２ａを相互連結するようにオイル連通流路１３１を形成することができる。
【００５４】
即ち、上記連通孔１１２、上記キャップ連通孔１２２ａ及び上記オイル連通流路１３１が、上記一対のオイルチャンバー１１１に充填されたオイルが移動する移動経路となる。
【００５５】
一方、図示しなかったが、上記上部カバー１３０は、上記下部フレーム１２０に対して相対的に動くように備えられてもよい。このとき、上記上部カバー１３０は、別途の上部カバー制御部（不図示）に連結されて上下に動くことができる。
【００５６】
即ち、上部カバー制御部は、電磁弁を含んで上記上部カバー１３０と電気的に接続されたり、シリンダーを含んで上記上部カバー１３０と油圧式に連結されてもよい。
【００５７】
このとき、上記上部カバー１３０はクランクシャフト１１の半径方向の外側または内側に動くことで、オイル移動経路の断面積と間隙（ｇａｐ）の大きさを調節することができる。
【００５８】
上記オイルシール１４０は、上記下部フレーム１２０の外側面と上記上部カバー１３０の内側面との間に備えられてもよく、上記下部フレーム１２０の外側面を囲むように環状に備えられてもよい。また、上記オイルシール１４０は、複数個備えられることができる。これにより、上記下部フレーム１２０と上記上部カバー１３０の間にオイルが漏れることを防止することができる。
【００５９】
図６は本発明の他の実施形態による図３のＡ−Ａ’による一部断面図であり、図７は本発明の他の実施形態による縦振動減衰ダンパーの分解斜視図あり、図８は本発明のさらに他の実施形態による縦振動減衰ダンパーの分解斜視図であり、図９は本発明の他の実施形態による縦振動減衰ダンパーの分解斜視図である。
【００６０】
図６〜図９を参照すると、本発明の他の実施形態による縦振動減衰ダンパー１００は、上記クランクシャフト１１が貫通するように備えられる胴体部１１０と、上記胴体部１１０の上部に結合される下部フレーム１２０と、上記下部フレーム１２０の上端に結合される上部カバー１３０と、上記下部フレーム１２０の外側面と上記上部カバー１３０の内側面との間に位置するオイルシール１４０と、を含んでもよく、図３〜図５に示された本発明の実施形態による縦振動ダンパーとは、上記下部フレーム１２０を除き、他の構成は全て同様であってもよい。
【００６１】
よって、同じ構成に対する詳しい説明は省略し、上記説明に代える。
【００６２】
本発明の他の実施形態による縦振動減衰ダンパー１００における上記下部フレーム１２０は、上記連通孔１１２に対応して上記連通孔１１２とともにオイル移動経路を形成するキャップ連通孔１２１を備えてもよい。また、上記下部フレーム１２０は、上端に陥入して形成された段差部１２２、１２２’、１２２’’を備えることができる。
【００６３】
上記段差部１２２は、図７に示されたように、キャップ連通孔１２１の上端の全体を含んで形成されてもよい。また、上記段差部１２２’は、図８に示されたように、上記キャップ連通孔１２１の上端の一部を含んで形成されてもよい。さらに、上記段差部１２２’’は、図９に示されたように、対向する一対の上記キャップ連通孔１２１を連結するように複数に分割されて形成されてもよい。
【００６４】
このような上記段差部１２２、１２２’、１２２’’は、後述する上部カバー１３０の下面が上記下部フレーム１２０の上面に接触しても、上記キャップ連通孔１２１間のオイル移動経路が閉鎖されるのを防止することができる。
【００６５】
図１０〜図１８には、本発明のさらに他の実施形態による縦振動減衰ダンパーが示されている。
【００６６】
図１０〜図１８を参照すると、本発明のさらに他の実施形態による縦振動減衰ダンパー１００は、クランクシャフト１１が貫通するように備えられる胴体部１１０と、上記胴体部１１０の上部に結合される下部フレーム１２０と、上記下部フレーム１２０の上端に結合される上部カバー１３０と、上記下部フレーム１２０の外側面と上記上部カバー１３０、２３０、３３０の内側面との間に位置するオイルシール１４０と、高さ調節部材１５０、２５０、３５０と、を含んでもよい。
【００６７】
即ち、図６〜図９に示された本発明の他の実施形態による縦振動減衰ダンパーとは、上記上部カバー１３０、２３０、３３０及び高さ調節部材１５０、２５０、３５０を除き、他の構成はすべて同様であってもよい。
【００６８】
よって、同じ構成に対する詳しい説明は省略し、上記説明に代える。
【００６９】
図１０〜図１２を参照すると、本発明のさらに他の実施形態による縦振動減衰ダンパー１００における上記上部カバー１３０は、対向する両側部の下端に所定の角度を有する一対の第１傾斜面１３２を備えてもよい。
【００７０】
上記一対の第１傾斜面１３２は、後述する高さ調節部材１５０に形成された第２傾斜面１５２と当接して、高さ調節部材１５０のスライド移動によって上下に移動することができる。これにより、上記オイル連通流路１３１の断面積と間隙（ｇａｐ）を調節することができ、上記上部カバー１３０の結合高さが低くなって上記オイル連通流路１３１の断面積と間隙（ｇａｐ）が減少すると、減衰が増加し、逆に、上記上部カバー１３０の結合高さが高くなって上記オイル連通流路１３１の断面積と間隙（ｇａｐ）が増加すると、減衰が減少する。
【００７１】
このとき、上記高さ調節部材１５０は、上記一対の第１傾斜面１３２に対応する第２傾斜面１５２が形成された一対の高さ調整ロッド１５１を備えることができる。これにより、図１２に示されたように、上記高さ調節部材１５０をスライド移動することにより、上記上部カバー１３０が上下に移動し、上記上部カバー１３０の結合高さの調節が可能となる。これによって上記オイル連通流路１３１の断面積と間隙（ｇａｐ）を調整することができる。
【００７２】
一方、図１３〜図１５を参照すると、上記上部カバー２３０は、対向する両側部の下端に下方に突出形成された少なくとも一対の高さ調節用突起２３３を備えてもよい。また、上記一対の高さ調節用突起２３３は、上記上部カバー２３０の側面の外側に突出形成されてもよい。
【００７３】
上記一対の高さ調節用突起２３３は、後述する高さ調節部材２５０に形成された階段部２５２の上面と当接して、高さ調節部材２５０のスライド移動により、上記上部カバー２３０の高さを調節することができる。これにより、上記オイル連通流路１３１の断面積と間隙（ｇａｐ）が調節されることができる。
【００７４】
このとき、上記高さ調節部材２５０は、上記一対の高さ調節用突起２３３に当接して上記上部カバー２３０の結合高さを調節することができるように少なくとも一つの段差が形成された階段部２５２が形成された一対の高さ調節ロッド２５１を備えることができる。これにより、図１５に示されたように、上記高さ調節部材２５０をスライド移動させて、上記一対の高さ調節用突起２３３と当接する階段部２５２の高さを異ならせることで、上記上部カバー２３０の結合高さを調節することができ、これにより、上記オイル連通流路１３１の断面積と間隙（ｇａｐ）を調整することができる。
【００７５】
一方、上記階段部２５２が３段に形成されたものが図示されているが、これに限定されず、必要に応じて、上記階段部２５２の段数を決めてもよい。
【００７６】
図１６〜図１８を参照すると、上記上部カバー３３０の高さ調節用突起３３３は複数対形成されてもよく、上記高さ調節部材３５０の高さ調節ロッド３５１にはそれぞれ複数の階段部３５２が形成されてもよい。
【００７７】
従って、上記上部カバー３３０は、少なくとも４ヶ所により支持されるため、より安定的に支持されるという利点がある。
【００７８】
図１９〜図２１には、本発明のさらに他の実施形態による縦振動減衰ダンパー１００が示されている。
【００７９】
図１９〜図２１を参照すると、本発明のさらに他の実施形態による縦振動減衰ダンパー１００は、クランクシャフト１１と、上記クランクシャフト１１が貫通するように備えられる胴体部１１０と、上記胴体部１１０の上部に結合される下部フレーム１２０と、上記下部フレーム１２０の上端に結合される上部カバー１３０と、上記下部フレーム１２０の外側面と上記上部カバー１３０の内側面との間に位置するオイルシール１４０と、を含んでもよい。
【００８０】
即ち、図６〜図９に示された本発明の他の実施形態による縦振動減衰ダンパーとは、クランクシャフト１１を除き、他の構成はすべて同様であってもよい。
【００８１】
よって、同じ構成に対する詳しい説明は省略し、上記説明に代える。
【００８２】
本発明のさらに他の実施形態による縦振動減衰ダンパー１００における上記クランクシャフト１１は、外周面上にリング状のカム部１１ａを備えてもよい。このとき、上記カム部１１ａの両側には周方向に複数の櫛部１１１ａが形成されてもよい。ここで、上記櫛部１１１ａは、図１９に示されたように、外側に突出形成された突起であってもよい。また、上記櫛部１１１ａ’は、図２０に示されたように、内側に陥入して形成された溝であってもよい。
【００８３】
一方、図２１の（ａ）〜（ｄ）を参照すると、櫛部１１１ａ、１１１ａ’、１１１ｂ、１１１ｂ’、１１１ｃ、１１１ｃ’、１１１ｄ、１１１ｄ’は放射状に形成されてもよく、螺旋状、スパイラル状またはヘリングボーン状であってもよい。
【００８４】
上記カム部１１ａは、胴体部１１０に収容されて両側にオイルチャンバー１１１を形成し、上記カム部１１ａが上記胴体部１１０内で回転する際、上記櫛部１１１ａ、１１１ａ’、１１１ｂ、１１１ｂ’、１１１ｃ、１１１ｃ’、１１１ｄ、１１１ｄ’と上記オイルチャンバー１１１に充填されたオイルとの相互作用によって、ねじり減衰性能が向上する。
【００８５】
以上、本発明は特定の実施形態に関して図示し説明したが、添付の特許請求の範囲による本発明の精神や分野から外れない範囲内で、本発明が多様に改造及び変更できることは、当業界の通常の知識を有する者には容易である。
【符号の説明】
【００８６】
１０  船舶用エンジン
１１  クランクシャフト
１１ａ  カム部
１００  縦振動減衰ダンパー
１１０  胴体部
１２０  下部フレーム
１３０  上部カバー
１４０  オイルシール
【図１】
0005914580.tif 000002
【図２】
0005914580.tif 000003
【図３】
0005914580.tif 000004
【図４】
0005914580.tif 000005
【図５】
0005914580.tif 000006
【図６】
0005914580.tif 000007
【図７】
0005914580.tif 000008
【図８】
0005914580.tif 000009
【図９】
0005914580.tif 000010
【図１０】
0005914580.tif 000011
【図１１】
0005914580.tif 000012
【図１２】
0005914580.tif 000013
【図１３】
0005914580.tif 000014
【図１４】
0005914580.tif 000015
【図１５】
0005914580.tif 000016
【図１６】
0005914580.tif 000017
【図１７】
0005914580.tif 000018
【図１８】
0005914580.tif 000019
【図１９】
0005914580.tif 000020
【図２０】
0005914580.tif 000021
【図２１】
0005914580.tif 000022